(57)【特許請求の範囲】
【請求項１】
着用者の前後方向に対応する縦方向及びこれに直交する横方向を有するとともに、股下部並びに該股下部の前後から縦方向に延出する腹側部及び背側部に区分されており、該腹側部から該背側部にわたる吸収体と、該吸収体の非肌対向面側に配された外装体とを具備する吸収性物品であって、
前記外装体は、非肌対向面を形成する外層シートと、該外層シートの肌対向面に対向配置された内層シートとの積層体を含んで構成されており、
前記外層シートが肌対向面と非肌対向面とで表面の濡れ性が異なるシートであって、前記外層シートの濡れ性が、該外層シートの全域にわたって、肌対向面よりも非肌対向面の方が高くなっているか、又は、前記内層シートが肌対向面と非肌対向面とで表面の濡れ性が異なるシートであって、前記内層シートの濡れ性が、該内層シートの全域にわたって、非肌対向面よりも肌対向面の方が高くなっている吸収性物品。
【請求項２】
前記腹側部又は前記背側部において、着用者の肌の最も近くに位置する肌最近接シートが、前記外装体の肌対向面を横方向に延びるように配されており、
前記最近接シートが肌対向面と非肌対向面とで表面の濡れ性が異なるシートであって、前記肌最近接シートの濡れ性が、非肌対向面よりも肌対向面の方が高くなっている請求項１に記載の吸収性物品。
【請求項３】
前記肌対向面と非肌対向面とで表面の濡れ性が異なるシートは、濡れ性が低い方の面が、地色と異なる色に着色されている請求項１又は２に記載の吸収性物品。
【請求項４】
前記肌対向面と非肌対向面とで表面の濡れ性が異なるシートは、その周縁を含む周縁域が非着色状態になっており、該周縁域よりも内方の領域が着色されている請求項３に記載の吸収性物品。
【請求項５】
前記外装体は、前記外層シート及び内層シートが肌対向面と非肌対向面とで表面の濡れ性が異なるシートであって、
前記外層シートの濡れ性が、肌対向面よりも非肌対向面の方が高くなっており、且つ、前記内層シートの濡れ性が、非肌対向面よりも肌対向面の方が高くなっている請求項１ないし４のいずれか一項に記載の吸収性物品。
【請求項６】
着用者の前後方向に対応する縦方向及びこれに直交する横方向を有するとともに、股下部並びに該股下部の前後から縦方向に延出する腹側部及び背側部に区分されており、該腹側部から該背側部にわたる吸収体と、該吸収体の非肌対向面側に配された外装体とを具備する吸収性物品であって、
前記外装体は、非肌対向面を形成する外層シートと、該外層シートの肌対向面に対向配置された内層シートとの積層体を含んで構成されており、
前記外層シートが肌対向面と非肌対向面とで表面の濡れ性が異なるシートであって、前記外層シートの濡れ性が、肌対向面よりも非肌対向面の方が高くなっているか、又は、前記内層シートが肌対向面と非肌対向面とで表面の濡れ性が異なるシートであって、前記内層シートの濡れ性が、非肌対向面よりも肌対向面の方が高くなっており、
前記腹側部又は前記背側部において、着用者の肌の最も近くに位置する肌最近接シートが、前記外装体の肌対向面を横方向に延びるように配されており、
前記最近接シートが肌対向面と非肌対向面とで表面の濡れ性が異なるシートであって、前記肌最近接シートの濡れ性が、非肌対向面よりも肌対向面の方が高くなっている、吸収性物品。
【発明の詳細な説明】
【技術分野】
【０００１】
本発明は、使い捨ておむつや生理用ナプキン等の吸収性物品に関する。
【背景技術】
【０００２】
吸収性物品を構成するシート材に印刷を施して、該シート材の親水性や疎水性をコントロールする技術が知られている。例えば特許文献１には、体液透過性シートと吸液性コアとの間に、疎水性を有する疎水層が設けられている吸収性物品において、疎水層における吸液性コア側に、疎水性のインクを用いた印刷によって色又は図柄を施し、それによって疎水層を設けることが記載されている。
【先行技術文献】
【特許文献】
【０００３】
【特許文献１】特開２００７−１３０５０４号公報
【発明の概要】
【発明が解決しようとする課題】
【０００４】
ところで使い捨ておむつや生理用ナプキン等の吸収性物品を装着した場合、着用者の身体から放出される水蒸気によって着用者の身体と吸収性物品との間の空間が高湿度になり、蒸れが生じる場合がある。蒸れの発生を防止するために、透湿性の部材を用いて水蒸気を物品の外部へ放出させる技術が知られているが、その場合には、透湿性の部材を透過した  水蒸気が、着用者の着衣を濡らしてしまうことがある。
【０００５】
また、水蒸気の放出とは別に、着用者から排泄された液が何らかの理由で吸収性物品の外に漏れ出てしまった場合にも、該液が着用者の着衣を濡らしてしまうことがある。上述した特許文献１に記載の技術は、疎水性のインクの印刷によってシート材の疎水性をコントロールすることで、液の透過性を制御しようとすることにとどまり、水蒸気の放出や液の漏れ出しに起因して着用者の着衣が濡れてしまうことを防止することまでは課題としていない。
【０００６】
したがって本発明の課題は、水蒸気の放出や液の漏れ出しに起因して着用者の着衣が意図せず濡れることを抑制し得る吸収性物品を提供することにある。
【課題を解決するための手段】
【０００７】
前記の課題を解決すべく本発明者は鋭意検討した結果、吸収体よりも非肌対向面側に、表裏で濡れ性の異なる不織布を配置することが有効であることを知見した。
【０００８】
本発明は前記の知見に基づきなされたものであり、着用者の前後方向に対応する縦方向及びこれに直交する横方向を有するとともに、股下部並びに該股下部の前後から縦方向に延出する腹側部及び背側部に区分されており、該腹側部から該背側部にわたる吸収体と、該吸収体の非肌対向面側に配された外装体とを具備する吸収性物品であって、
前記外装体は、非肌対向面を形成する外層シートと、該外層シートの肌対向面に対向配置された内層シートとの積層体を含んで構成されており、
前記外層シートが肌対向面と非肌対向面とで表面の濡れ性が異なるシートであって、前記外層シートの濡れ性が、肌対向面よりも非肌対向面の方が高くなっているか、又は、前記内層シートが肌対向面と非肌対向面とで表面の濡れ性が異なるシートであって、前記内層シートの濡れ性が、非肌対向面よりも肌対向面の方が高くなっている吸収性物品を提供することにより前記の課題を解決したものである。
【発明の効果】
【０００９】
本発明によれば、水蒸気の放出や液の漏れ出しに起因して着用者の着衣が意図せず濡れることを効果的に抑制し得る吸収性物品が提供される。
【図面の簡単な説明】
【００１０】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を一部破断して模式的に示す展開平面図である。
【図３】図３は、図１に示すおむつを模式的に示す分解斜視図である。
【図４】図４は、図２のＩ−Ｉ線断面、即ちおむつの腹側部側のウエスト端縁及びその近傍を模式的に示す縦断面図である。
【図５】図５は、不織布の濡れ指数の測定方法を示す模式図である。
【図６】図６は、本発明の吸収性物品の他の実施形態の図４相当図である。
【図７】図７は、本発明の吸収性物品の他の実施形態の図４相当図である。
【図８】図８は、本発明の吸収性物品の他の実施形態の図４相当図である。
【図９】図９は、本発明の吸収性物品の更に他の実施形態である展開型使い捨ておむつの一例であり、該おむつの展開且つ伸長状態における肌対向面側を模式的に示す展開平面図である。
【図１０】図１０は、図９のＩＩ−ＩＩ線断面を模式的に示す横断面図である。
【発明を実施するための形態】
【００１１】
以下本発明を、その好ましい実施形態に基づき図面を参照しながら説明する。図１〜図４には、本発明の吸収性物品の一実施形態であるパンツ型使い捨ておむつの一例であるおむつ１Ａが示されている。おむつ１Ａは、着用者の前後方向に相当する縦方向Ｘとこれに直交する横方向Ｙとを有するとともに、股下部Ｂ並びに該股下部Ｂの前後から縦方向Ｘに延出する腹側部Ａ及び背側部Ｃに区分されており、腹側部Ａから背側部Ｃにわたって縦方向Ｘに延在し、排泄された体液を吸収保持可能な吸収体２３と、吸収体２３の非肌対向面側に配された外装体３とを具備する。股下部Ｂは、おむつ１Ａの着用状態において着用者の股間部に配される部位であり、腹側部Ａは、おむつ１Ａの着用状態において股下部Ｂよりも着用者の腹側即ち前側に配される部位であり、背側部Ｃは、おむつ１Ａの着用状態において股下部Ｂよりも着用者の背側即ち後側に配される部位である。
【００１２】
おむつ１Ａは、吸収体２３を具備する吸収性本体２と、該吸収性本体２よりも着用者の身体から遠い側に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
おむつ１Ａは、図２に示すように、おむつ１Ａを縦方向Ｘに二分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、いずれも縦方向Ｘにおいてサイドシール部Ｓと同位置にある部分であり、おむつ１Ａの着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。股下部Ｂは、おむつ１Ａの着用状態において着用者の排泄部に対向配置される排泄部対向部を有しており、該排泄部対向部は通常、おむつ１Ａの縦方向Ｘの中央部（縦中心線ＣＬｘ上）又はその近傍に位置している。
【００１４】
吸収性本体２は、図２に輪郭線で示したように平面視長方形形状をなし、腹側部Ａから背側部Ｃにわたって縦方向Ｘに延在しており、その長手方向を展開且つ伸長状態におけるおむつ１Ａの縦方向Ｘに一致させて、外装体３の横方向Ｙの中央部に配置され、接着剤により外装体３に接合されている。
【００１５】
吸収性本体２は、図２に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、平面視長方形形状をなし、吸収性本体２の外形を形作っており、図２に示す如き平面視において、吸収体２３と吸収性本体２とは縦方向両端縁が一致している。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマー粒子を含んで構成される吸収性コアを有するものを用いることができ、該吸収性コアはその外面が液透過性のコアラップシートで被覆されていても良い。
【００１６】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。なお、ここで言う「着用時」は、通常の適正な着用位置、即ち当該吸収性物品の正しい着用位置が維持された状態を意味し、吸収性物品が該着用位置からずれた状態にある場合は含まない。
【００１７】
図２に示すように、吸収性本体２の肌対向面における縦方向Ｘに沿う左右両側部には、液抵抗性又は撥水性で且つ通気性のシート材から構成された一対の防漏カフ２４，２４が設けられている。各防漏カフ２４の自由端部の近傍には糸状の防漏カフ形成用弾性部材２５が１本以上伸長状態で配されている。防漏カフ２４は、伸長状態で配された弾性部材２５がおむつ１Ａの着用時に収縮することによって少なくとも股下部Ｂで起立し、それによって尿等の排泄液の横方向Ｙの外方への流出を阻止する。
【００１８】
外装体３は、おむつ１Ａの外形を形成する主体部であり、自ずと、腹側部Ａ、股下部Ｂ及び背側部Ｃそれぞれの外形を形成する主体部でもある。即ち外装体３は、おむつ１Ａの全構成部材のうちで面積が最大であり、図２に示す如き展開且つ伸長状態のおむつ１Ａの外形を形作っており、外装体３の周縁は、その状態のおむつ１Ａの輪郭線、即ち腹側部Ａ、股下部Ｂ及び背側部Ｃそれぞれの輪郭線を形成している。おむつ１Ａの「展開且つ伸長状態」とは、おむつ１Ａをサイドシール部Ｓで切り離して展開状態とし、その展開状態のおむつ１Ａを各部の弾性部材を伸長させて設計寸法（弾性部材の影響を一切排除した状態で平面状に広げたときの寸法と同じ）となるまで拡げた状態を言う。
【００１９】
外装体３は、図２に示す如き展開且つ伸長状態の平面視において、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲している。おむつ１Ａの外形を形成する主体部である外装体３が、展開且つ伸長状態において斯かる平面視形状を有していることにより、同状態のおむつ１Ａの平面視形状は、図２に示すように、縦方向Ｘの中央域が横方向Ｙの内方に向けて括れた砂時計状である。
【００２０】
外装体３は、図３に示すように、着用状態においておむつ１Ａの外面即ち非肌対向面を形成する外層シート３１と、外層シート３１の肌対向面３１ａに対向配置された内層シート３２との積層体を含んで構成されている。つまり、斯かる積層体は、おむつ１Ａの外形を形成する主体部であり、腹側部Ａ、股下部Ｂ及び背側部Ｃそれぞれの外形を形成する主体部でもある。外装シート体３においては、外層シート３１及び内層シート３２は不織布から構成されている。
【００２１】
外層シート３１は、おむつ１Ａの全構成部材のうちで、着用者の肌から最も遠くに位置する構成部材である。内層シート３２は、外層シート３１よりも相対的に着用者の身体から近い側に位置し、着用状態においておむつ１Ａの内面即ち肌対向面を形成する。外層シート３１と内層シート３２との間は、所定の部位において接着剤によって接合されている。外層シート３１及び内層シート３２としては、それぞれ、この種の吸収性物品において外装体として従来用いられている各種のものを特に制限なく用いることができ、例えば、スパンボンド不織布、エアスルー不織布、ニードルパンチ不織布等の各種製法による不織布が好ましい。
【００２２】
図１〜図３に示すように、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３３が伸長状態で配されており、これによって一対のレッグ開口部ＬＨ，ＬＨそれぞれの開口縁部には、その全周にわたって実質的に連続した環状のレッグギャザーが形成される。
【００２３】
また、腹側部Ａ及び背側部Ｃそれぞれにおける、ウエスト部を含む着用者の胴周りに配される部位には、糸状又は帯状の胴回り弾性部材３４が横方向Ｙに伸長状態で複数本配され、それら複数本の胴回り弾性部材３４は縦方向Ｘに所定間隔を置いて間欠配置されている。胴回り弾性部材３４は、外装体３の横方向Ｙの略全長にわたって延びている。腹側部Ａ及び背側部Ｃはそれぞれ、図２に示すように、おむつ１Ａの着用状態において着用者の腰回り及びその近傍に配されるウエスト域Ｄを有しており、そのウエスト域Ｄに胴回り弾性部材３４が伸長状態で配されている。ウエスト域Ｄは、腹側部Ａ及び背側部Ｃそれぞれにおいて、ウエスト端縁ＡＥ，ＣＥから吸収体２３（吸収性本体２）の縦方向Ｘの端縁にわたる、ウエスト端縁ＡＥ，ＣＥ寄りの胴回り領域（吸収性本体２の非配置領域）であり、通常、腹側部Ａ又は背側部Ｃの縦方向Ｘの全長の８％以上８０％以下を占める。ウエスト端縁ＡＥは、外装体３の腹側部Ａ側の縦方向Ｘの端縁、ウエスト端縁ＣＥは、外装体３の背側部Ｃ側の縦方向Ｘの端縁であり、ウエスト開口部ＷＨは両端縁ＡＥ，ＣＥによって画成される。このように、ウエスト域Ｄに胴回り弾性部材３４がその弾性伸縮性が発現される状態で配されていることにより、ウエスト開口部ＷＨの開口縁部には、その全周にわたって実質的に連続した環状のウエストギャザーが形成される。
【００２４】
なお、図３に示すように、腹側部Ａ及び背側部Ｃそれぞれにおける、縦方向Ｘにおいて外装シート体３と吸収性本体２（吸収体２３）とが重なる領域、すなわち、ウエスト領域Ｄよりも股下部Ｂ寄りの領域（ウエスト域Ｄ以外の領域）において、糸状又は帯状の胴回り弾性部材３４が、縦方向Ｘに所定間隔を置いて間欠配置されている。このウエスト域Ｄ以外の領域に配された胴回り弾性部材３４は、吸収性本体２（吸収体２３）を横切って、外装シート体３に配されている。そして、外装体３における吸収性本体２の配置領域（平面視において吸収性本体２と重なる領域）においては、胴回り弾性部材３４は分断されるなどして伸縮性が阻害されており、弾性伸縮性が発現される状態では配されていない。また、外装シート体３における、吸収体２３の横方向Ｙ両外方領域においては、胴回り弾性部材３４が伸縮可能な状態となっている。以上の各弾性部材３３，３４は、いずれも外装体３を構成する外層シート３１と内層シート３２との間に接着剤等の接合手段により挟持固定されている。各弾性部材３３，３４としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２５】
図１〜図４に示すように、腹側部Ａ及び背側部Ｃにおいて、外層シート３１は、内層シート３２の縦方向端縁３２Ｅから縦方向Ｘの外方に延出し且つ内層シート３２の肌対向面３２ａ側に向けて折り返されている、折り返し部３１０を有している。即ち外層シート３１は、内層シート３２と同形状・同寸法の部分、即ちおむつ１Ａの外形を形成する主体部を構成する部分に加えて更に、両シート３１，３２を積層した際に内層シート３２の縦方向Ｘの両端縁３２Ｅ，３２Ｅそれぞれから外方に延出する部分を有し、その延出部の一部が折り返し部３１０である。なお、図４では、腹側部Ａ側の折り返し部３１０を示すが、背側部Ｃ側の折り返し部３１０も腹側部Ａ側と同様に構成されており、特に断らない限り、腹側部Ａ側の折り返し部３１０の説明が適宜適用される。
【００２６】
腹側部Ａ及び背側部Ｃそれぞれのウエスト域Ｄに配された外層シート３１の折り返し部３１０は、ウエスト域Ｄにおいて着用者の肌の最も近くに位置する「肌最近接シート」であり、腹側部Ａ及び背側部Ｃの外形を形成する主体部である外装体３（外層シート３１と内層シート３２との積層体）の肌対向面、より具体的には、後述する本体端部固定シート５の肌対向面５ａを横方向Ｙに延びるように配されている。折り返し部３１０の先端、即ち折り返し部３１０における縦方向Ｘの端縁３１０Ｅ（股下部Ｂ側に位置する端縁３１０Ｅ）は、図２及び図４に示すように、吸収性本体２（吸収体２３）よりも縦方向Ｘの外方に位置しており、つまり、折り返し部３１０は吸収性本体２（吸収体２３）と重なっていない。
【００２７】
また、おむつ１Ａにおいては、図１〜図３に示すように、吸収性本体２の縦方向Ｘの両端部の肌対向面が、外装体３とは別体の本体端部固定シート５によって被覆されている。本体端部固定シート５は、平面視において横方向Ｙに長い矩形形状をなし、腹側部Ａ及び背側部Ｃそれぞれの横方向Ｙの全長にわたって連続している。本体端部固定シート５も、折り返し部３１０と同様に、着用者の肌の最も近くに位置する帯状の「肌最近接シート」である。本体端部固定シート５は、股下部Ｂ側に位置する第１端縁５１と、ウエスト端縁ＡＥ（ＣＥ）側に位置する第２端縁５２とを有している。第１端縁５１及び第２端縁５２はいずれも横方向Ｙに沿って互いに平行に延びている。本体端部固定シート５の第１端縁５１は、吸収性本体２の端縁２Ｅを超えて該吸収性本体２上に位置している。一方、本体端部固定シート５の第２端縁５２は、外層シート３１の折り返し位置又はその近傍に位置している。換言すれば第２端縁５２は、ウエスト端縁ＡＥ又はその近傍に位置している。本体端部固定シート５は、外層シート３１と直接に対向している領域において、ホットメルト粘着剤Ｈ１によって接合しているほか、ホットメルト粘着剤Ｈ２によって折り返し部３１０とも接合している。更に本体端部固定シート５は、吸収性本体２と重なる領域において、該吸収性本体２における表面シート（図示せず）とも接合している。
【００２８】
本体端部固定シート５の採用により、吸収性本体２の縦方向端部からの尿等の排泄液の漏れ防止、吸収性本体２の縦方向端部の露出防止による外観良化等の効果が奏される。本体端部固定シート５の縦方向Ｘの長さ即ち幅は、特に制限されないが通常２０〜６０ｍｍ程度である。本体端部固定シート５としては、外層シート３１及び内層シート３２として使用可能な各種不織布、該不織布の素材として使用可能な樹脂からなるフィルム状シートなどを用いることができる。
【００２９】
おむつ１Ａにおいては、図４に示すとおり、吸収体２３よりも非肌対向面側に、不織布からなる部材である外層シート３１及び内層シート３２が配置されている。そしてこれらのシート３１，３２はいずれも地色と異なる色に着色されている。図４においては、ドットパターンが付された部分が、着色された様子を示している。この図から明らかなとおり、外層シート３１はその２つの面のうちの一方の面側のみが着色されており、他方の面側は非着色の状態になっている。具体的には、外層シート３１は、その２つの面のうち、肌対向面３１ａ側が着色の状態になっており、非肌対向面３１ｂ側が非着色の状態になっている。同様に、内層シート３２もその２つの面のうちの一方の面側のみが着色されており、他方の面側は非着色の状態になっている。具体的には、具体的には、内層シート３２は、その２つの面のうち、非肌対向面３２ａ側が着色の状態になっており、肌対向面３２ｂ側が非着色の状態になっている。
【００３０】
外層シート３１及び内層シート３２における着色は、例えばこれらのシートを構成する不織布の原反に表面改質処理を行い、その後に該不織布の一方の面を対象としてインク等の着色剤を施すことで達成される。表面改質処理としては、例えばコロナ放電処理が代表的なものとして挙げられる。コロナ放電処理によれば、処理前に比べて処理部位の濡れ性が向上する。着色剤の例としてのインクとしては、油性インクが挙げられる。この油性インクを印刷することで着色状態が実現されるとともに、着色前に比べて濡れ性が低下する。油性インクは、シートの一方の面にのみ存在し、他方の面には存在しないか、又は存在量が一方の面よりも少なくなるように印刷されることが好ましい。表面改質処理を行い、それに続いて着色剤を施すことで、外層シート３１及び内層シート３２は、着色状態になっている一方の面が、相対的に濡れ性が低くなり、非着色状態になっている他方の面が、相対的に濡れ性が高くなる。換言すれば、外層シート３１及び内層シート３２はそれぞれ、表面の濡れ性が肌対向面と非肌対向面とで異なるシートになっている。詳細には、外層シート３１に関しては、肌対向面３１ａよりも非肌対向面３１ｂの方が、濡れ性が高くなっている。内層シート３２に関しては、非肌対向面３２ｂよりも肌対向面３２ａの方が、濡れ性が高くなっている。
【００３１】
本発明において「濡れ性」とは水との親和性の程度のことであり、その程度は、例えば後述する濡れ指数で評価することができる。濡れ性が高いとは、水との親和性が高く、濡れ指数が大きいことを言う。濡れ性が低いとは、水との親和性が低く、濡れ指数が小さいことを言う。
【００３２】
濡れ指数は以下の方法で測定される。図５に示すとおり、トレーＴの開口部を覆うように、測定対象となる不織布ＮＷを配置・固定し、該不織布ＮＷの下側に空間が生じるようにする。この不織布ＮＷの上にスポイトＰで濡れ試薬Ｓを滴下する。濡れ試薬Ｓは、３０ｍＮ／ｍ以上４７ｍＮ／ｍ以下の表面張力の異なる複数種類を用意しておき、表面張力の高い試薬の順に滴下する。滴下は異なる位置に行う。このようにして順次試薬Ｓの滴下を行い、液滴が不織布Ｓ上で濡れ広がったときに用いた濡れ試薬Ｓの表面張力を、その不織布ＮＷにおける滴下面側の濡れ指数とする。
【００３３】
本実施形態のおむつ１Ａにおいては、該おむつ１Ａを装着した状態で着用者の身体から生じる水蒸気が、内層シート３２を透過して、内層シート３２と外層シート３１との界面に到達して結露し水となる。結露によって生じた水は、内層シート３２を透過して肌対向面側に戻りづらい。この理由は、内層シート３２における表裏の濡れ性が異なり、内層シート３２に、着用者の身体側から衣服側への方向で、濡れ性の高い面側から低い面側に向けての濡れ性の勾配が生じているからである。また、内層シート３２と外層シート３１との界面で結露した水は、外層シート３１を透過しづらく、該界面にとどまる。この理由は、外層シート３１における表裏の濡れ性が異なり、外層シート３１に、着用者の身体側から衣服側への方向で、濡れ性の低い面側から高い面側に向けての濡れ性の勾配が生じており、この勾配が水の透過の妨げになるからである。内層シート３２と外層シート３１との界面で結露した水が、外層シート３１を透過しづらいことから、おむつ１Ａにおいては、外層シート３１の外面、即ちおむつ１Ａの外面が濡れにくく、そのことに起因して着衣を濡らすことが効果的に抑制される。このように、本実施形態のおむつ１Ａにおいては、おむつ１Ａと着用者の身体との間が高湿度になることが効果的に抑制されるとともに、おむつ１Ａの外面の濡れに起因して着用者の着衣が意図せず濡れることが効果的に抑制される。また、尿等の漏れ出しに起因して着用者の着衣が意図せず濡れることも効果的に抑制される。
【００３４】
以上の効果を更に顕著なものとする観点から、外層シート３１及び／又は内層シート３２においては、それらの一方の面側が、全域にわたって印刷によって着色されていることが好ましい。尤も、外層シート３１及び内層シート３２の周縁を含む周縁域にまで印刷を施すことには技術的な困難が伴うことがあることから、外層シート３１及び／又は内層シート３２においては、その周縁を含む周縁域が非着色状態になっており、該周縁域よりも内方の領域の全域が着色されていることが好ましい。
【００３５】
同様に、以上の効果を更に顕著なものとする観点から、外層シート３１及び／又は内層シート３２においては、濡れ性の高い面側の濡れ指数は、４０以上であることが好ましく、４１以上であることが更に好ましく、４２以上であることが一層好ましい。また、４７以下であることが好ましく、４６以下であることが更に好ましく、４５以下であることが一層好ましい。濡れ性の高い面側の濡れ指数は、４０以上４７以下であることが好ましく、４１以上４６以下であることが更に好ましく、４２以上４５以下であることが一層好ましい。
【００３６】
一方、濡れ性の低い面側の濡れ指数は、濡れ性の高い面側の濡れ指数よりも小さいことを条件として、３０以上であることが好ましく、３１以上であることが更に好ましく、３２以上であることが一層好ましい。また、３９以下であることが好ましい。濡れ性の低い面側の濡れ指数は、濡れ性の高い面側の濡れ指数よりも小さいことを条件として、３０以上３９以下であることが好ましく、３１以上３９以下であることが更に好ましく、３２以上３９以下であることが一層好ましい。
【００３７】
外層シート３１及び／又は内層シート３２においては、濡れ性の高い面側の濡れ指数と、濡れ性の低い面側の濡れ指数との差は、２以上であることが好ましく、３以上であることが更に好ましく、４以上であることが一層好ましい。また、１１以下であることが好ましく、１０以下であることが更に好ましく、９以下であることが一層好ましい。前記の差は、２以上１１以下であることが好ましく、３以上１０以下であることが更に好ましく、４以上９以下であることが一層好ましい。
【００３８】
外層シート３１及び／又は内層シート３２が、それらの表裏の濡れ性が異なることとは対照的に、吸収性本体２における防漏カフ２４を構成する不織布は、表面の濡れ性が、肌対向面と非肌対向面とで同じになっている。この観点から、防漏カフ２４を構成する不織布は着色されておらず、不織布の地色のままの状態が維持されている。つまり防漏カフ２４を構成する不織布に印刷は施されていない。表面改質処理も行われていない。したがって、防漏カフ２４を構成する不織布は、表面改質処理及び印刷が施され、肌対向面と非肌対向面とで表面の濡れ性が異なるシートである外層シート３１及び内層シート３２よりも濡れにくい状態、即ち濡れ性が低くなっている。図２に示すとおり、防漏カフ２４は、吸収体２３よりも肌対向面側に配されており、且つ展開状態のおむつ１Ａの平面視において、吸収体２３の周囲に配されている部材であるところ、該防漏カフ２４を構成する不織布が、
吸収体２３よりも非肌当接面側に位置する不織布、すなわち本実施形態においては外層シート３１及び内層シート３２よりも濡れにくくなっていることで、吸収体２３に保持された液が滲み出しにくくなり、液戻りに起因する液の漏れが効果的に抑制される。特に、防漏カフ２４は吸収体２３の側部域に配されているので、該側部域からの液の漏れが効果的に抑制される。なお、吸収体２３を覆う表面シートも不織布から構成されているところ、該表面シートも着色されていない。
【００３９】
吸収体２３の周囲に配されているとは、（イ）吸収体２３と重ならないように該吸収体２３の周縁よりも外方の位置に配されていること、（ロ）吸収体２３の周縁を含む周縁域と重なるように配されていること、吸収体２３の周縁を含む周縁域と重なり、且つ該吸収体２３の周縁よりも外方にも位置するように配されていることのいずれかを意味する。
【００４０】
図４に示すように、腹側部Ａの外層シート３１の折り返し部３１０（肌最近接シート）は、その非肌対向面３１０ｂが、該非肌対向面３１０ｂと対向する面（即ち本体端部固定シート５の肌対向面５ａ）との接合部３１１及び非接合部３１２を有するとともに、折り返し部３１０の地色と異なる着色部４０及び非着色部４１を有し、その非接合部３１２が、折り返し部３１０における股下部Ｂ側に位置する端縁３１０Ｅを含む端部域に位置しており、且つ非着色部４１を含んでいる。なお、図中、ドットパターンが付された部分は着色部４０を示す。
【００４１】
図４に示す形態においては、接合部３１１の平面視における全域が着色部４０となっており、また非接合部３１２の平面視における全域が非着色部４１となっている。背側部Ｃの外層シート３１の折り返し部３１０（肌最近接シート）も、図４に示す腹側部Ａと同様に構成されている。
【００４２】
このように、外層シート３１の折り返し部３１０が、腹側部Ａ及び背側部Ｃそれぞれのウエスト域Ｄにおいて着用者の肌の最も近くに位置し且つウエスト端縁ＡＥ，ＣＥに沿って横方向Ｙに延びる帯状の肌最近接シートである構成においては、折り返し部３１０の肌対向面３１０ａは、おむつ１Ａの着用時においては着用者の腹や背中と常時接触し、また例えば、おむつ１Ａの装着操作などにおいては手指で触れる機会が比較的多い部位であるところ、このような肌との接触の機会が比較的多い折り返し部３１０の股下部Ｂ側の端部域（端縁３１０Ｅ及びその近傍）が、他の部材に接合されていない非接合部３１２とされ、非接合部３１２と相対向する本体端部固定シート５の肌対向面５ａに対して接離自在な自由端部域となっていることで、非接合部３１２の感触が柔らかいものとなり、これによりウエスト域Ｄについて肌で感じる風合いが良好なものとなる。
【００４３】
また、折り返し部３１０の接合部３１１においては、その非肌対向面側が油性インクの印刷によって着色されているとともに、肌対向面側は非着色状態となっている。そのことに起因して、接合部３１１における非肌対向面側は、肌対向面側よりも濡れ性が低くなっている。それによって、接合部３１１には、肌対向面側から非肌対向面側に向けての濡れ性が低下する勾配が生じている。換言すれば、腹側部Ａのウエスト端縁ＡＥを含む端部域における肌対向面に、不織布からなる部材である接合部３１１が配されており、該不織布は表面の濡れ性が、肌対向面と非肌対向面とで異なっている。その結果、接合部３１１を構成する不織布を肌対向面側から非肌対向面側に向けて透過した水蒸気が結露して水になった場合、その水は濡れ性の勾配に起因して肌側に戻りづらくなる。そのことに起因して、着用者の身体とおむつ１Ａの肌対向面との間の空間が高湿度になることが効果的に抑制される。
【００４４】
接合部３１１における肌対向面側と非肌対向面側での濡れ指数の値は、先に述べた外層シート３１及び内層シート３２の濡れ指数の値と同様とすることができる。肌対向面側と非肌対向面側での濡れ指数の差の値についても、外層シート３１及び内層シート３２の濡れ指数の差の値と同様とすることができる。
【００４５】
図４に示すとおり、外層シート３の折り返し部３１０は、折り返し部３１０が本来有している地色と異なる色に着色された着色部４０と、着色されておらず地色そのままの非着色部４１とを、縦方向Ｘに並んで有している。それによって、折り返し部３１０の存在が周辺部に比して際立つため、折り返し部３１０を、おむつ１Ａを正しい着用位置で着用するための位置決めの目印として使用することができる。これにより着用時の位置決めを簡単に行うことができる。この目的のために、非着色部４１は、折り返し部３１０の縦方向Ｘにおける端部域に沿って、折り返し部３１０の全幅にわたって（すなわち一方のサイドシール部Ｓから他方のサイドシール部Ｓにわたって）存在していることが好ましい。
【００４６】
また仮に、折り返し部３１０の非肌対向面３１０ｂにおける、端縁３１０Ｅを含む端部域に位置する非接合部３１２が、印刷インクが付与されるなどして着色されていると、着用者の身体の動きなどに起因して非接合部３１２がめくれた場合に、その印刷インクが付与された非接合部３１２が着用者の肌に触れて、印刷インクが肌に転移する不都合が発生することが懸念されるが、おむつ１Ａにおいては、非接合部３１２の全体が、印刷インクが付与されていない非着色部４１であるため、かかる懸念が払拭されている。
【００４７】
このような、ウエスト域Ｄにおける肌最近接シートである外層シート３１の折り返し部３１０による作用効果、特にウエスト域Ｄの風合い向上と、着用時の位置決め操作の容易化を図る観点から、縦方向Ｘに沿って見たときに、ウエスト域Ｄにおける肌最近接シートである外層シート３１の折り返し部３１０の非接合部３１２が、その端縁３１０Ｅを含む折り返し部３１０の縦半分以上の領域に、非着色部４１を含んでいることが好ましい。即ち、折り返し部３１０の股下部Ｂ側の端縁３１０Ｅから折り返し部３１０の縦方向Ｘの全長の半分以上にわたる領域が、非接合部３１２であり且つ非着色部４１を含んでいることが好ましい。
【００４８】
折り返し部３１０の縦方向Ｘの全長に占める、非接合部３１２の縦方向Ｘの長さの割合は、好ましくは１０％以上、更に好ましくは２０％以上、そして、好ましくは５０％以下、更に好ましくは４０％以下である。
折り返し部３１０の縦方向Ｘの全長に占める、非着色部４１の縦方向Ｘの長さの割合は、好ましくは１．５％以上、更に好ましくは１０％以上、そして、好ましくは６０％以下、更に好ましくは５０％以下である。
非接合部３１２の縦方向Ｘの全長に占める、非着色部４１の縦方向Ｘの長さの割合は、好ましくは２０％以上、更に好ましくは３０％以上、そして、好ましくは１００％以下、更に好ましくは９０％以下である。図４に示す形態においては、非接合部３１２の平面視における全域が非着色部４１を有しているので、斯かる割合は１００％である。非接合部３１２の縦方向Ｘの全長に占める、非着色部４１の縦方向Ｘの長さの割合が１００％未満の場合、即ち、非接合部３１２に着色部４０と非着色部４１とが両方存在する場合、非着色部４１は、折り返し部３１０（肌最近接シート）の縦方向Ｘの端縁３１０Ｅ側に配されていることが好ましい。
【００４９】
腹側部Ａの縦方向Ｘの全長に占める、折り返し部３１０（肌最近接シート）の縦方向Ｘの全長の割合は、好ましくは８％以上、更に好ましくは１０％以上、そして、好ましくは３５％以下、更に好ましくは３０％以下である。背側部Ｃの折り返し部３１０についても、腹側部Ａと同様に設定することができる。
折り返し部３１０（肌最近接シート）の非着色部４１の縦方向Ｘの長さ即ち幅は、好ましくは２ｍｍ以上、更に好ましくは５ｍｍ以上、そして、好ましくは２０ｍｍ以下、更に好ましくは１５ｍｍ以下である。
【００５０】
先に述べたとおり、おむつ１Ａにおいては、図４に示すように、外層シート３１の肌対向面３１ａ及び内層シート３２の非肌対向面３２ｂは、それぞれ、地色と異なる着色部４０（図４中、ドットパターンが付された部分）を有している。より具体的には、外層シート３１は、好ましくはその周縁を含む周縁域を除く肌対向面の全域に着色部４０を有し、また内層シート３２は、好ましくはその周縁を含む周縁域を除く非肌対向面、即ち外層シート３１との対向面の全域に着色部４０を有している。その結果、おむつ１Ａにおいては、おむつ１Ａの外形を形成する主体部である、外層シート３１と内層シート３２との積層体の全体が、地色と異なる色に着色されている。しかも、その着色された部分は、該積層体を構成する両シート３１，３２の界面に存在し、おむつ１Ａの外面に露出していない。外層シート３１に施された着色と、内層シート３２に施された着色とは同色でもよく、あるいは異なっていてもよい。おむつ１Ａ全体の統一感の点からは、外層シート３１と内層シート３２とは同色に着色されていることが好ましい。
【００５１】
おむつ１Ａにおいては、本体端部固定シート５も印刷によって地色と異なる色に着色されていることが好ましい。着色は、外層シート３１及び／又は内層シート３２と同色でもよく、あるいは異なっていてもよい。おむつ１Ａ全体の統一感の点からは、本体端部固定シート５の色は、外層シート３１及び内層シート３２と同色であることが好ましい。本体端部固定シート５が着色されている場合、    該シート５はその２つの面のうちの一方の面側のみが着色されており、他方の面側は非着色の状態になっている。具体的には、本体端部固定シート５は、その２つの面のうち、非肌対向面５ｂ側が着色の状態になっており、肌対向面５ａ側が非着色の状態になっている。この構成は、内層シート３２と同様である。その結果、本体端部固定シート５は、着色状態になっている一方の面が、相対的に濡れ性が低くなり、非着色状態になっている他方の面が、相対的に濡れ性が高くなる。換言すれば、本体端部固定シート５は、表面の濡れ性が肌対向面と非肌対向面とで異なるシートになっている。詳細には、本体端部固定シート５は、非肌対向面５ｂよりも肌対向面５ａの方が、濡れ性が高くなっている。それによって、本体端部固定シート５には、肌対向面側から非肌対向面側に向けての濡れ性が低下する勾配が生じている。その結果、本体端部固定シート５を肌対向面側から非肌対向面側に向けて透過した水蒸気が結露して水になった場合、その水は濡れ性の勾配に起因して肌側に戻りづらくなる。そのことに起因して、着用者の身体とおむつ１Ａの肌対向面との間の空間が高湿度になることが一層効果的に抑制される。
【００５２】
本体端部固定シート５における肌対向面５ａ側と非肌対向面５ｂ側での濡れ指数の値は、先に述べた外層シート３１及び内層シート３２の濡れ指数の値と同様とすることができる。肌対向面５ａ側と非肌対向面５ｂ側での濡れ指数の差の値についても、外層シート３１及び内層シート３２の濡れ指数の差の値と同様とすることができる。
【００５３】
また、以上の構成を有するおむつ１Ａにおいては図１及び図２に示すように、おむつ１Ａの外形を形成する主体部である外装体３の全体が地色と異なる色を呈しており、しかも該主体部が、着色された複数枚（２枚）のシート３１，３２の積層体からなるため、おむつ１Ａを外部から視認したときにその施されている着色の色が比較的濃く見え、意匠性が高い。また、おむつ１Ａの内面即ち肌対向面を目視した場合には、その濃い色を呈する主体部即ち外装体３の着色部４０を背景にして、折り返し部３１０の端部域である地色のままの非着色部４１（非接合部３１２）が、ウエスト域Ｄを横方向Ｙに延びているため、着色部４０とのコントラストにより目立つ。そのため非着色部４１を、おむつ１Ａを正しい着用位置で着用するための位置決めの際の目印として使用することができる。また、おむつ１Ａの外面を形成する外層シート３１の非肌対向面３１ｂ、並びに着用者の肌と接触し得るおむつ１Ａの内面を形成する折り返し部３１０の肌対向面３１０ａ及び内層シート３２の肌対向面３２ａは、いずれも着色部４０を有していないため、着色部４０を構成する印刷インクが着用者の肌や衣類に移行してこれらを汚すという不都合、いわゆる色移りが効果的に防止される。
【００５４】
外層シート３１の折り返し部３１０における非着色部４１は、外層シート３１が本来有する地色を呈しているところ、その地色は特に制限されないが、通常は白色である。外層シート３１のみならず、おむつ１Ａの他の構成部材についても、通常それらの地色は白色である。また、着色部４０の色は、非着色部４１が呈する地色と目視で区別し得る色であれば良く、任意の色を選択し得る。例えばおむつ１Ａの各構成部材の地色が白色の場合、着色部４０の色としては、赤色、青色、黄色などを選択することができる。
【００５５】
ところで、おむつ１Ａにおいては、縦方向Ｘに沿って見たときに、外層シート３１の折り返し部３１０の端部域である非着色部４１の長さ（縦方向Ｘの長さ）が、腹側部Ａと背側部Ｃとで同じであるが、これに代えて、非着色部４１の長さが腹側部Ａと背側部Ｃとで相違していても良い。非着色部４１の長さが相違するとは、腹側部Ａ及び背側部Ｃの一方に非着色部４１を有し、他方に非着色部を有さない場合も含む趣旨である。斯かる構成により、腹側部Ａと背側部Ｃとの区別が一層つけやすくなるため、おむつ１Ａの前後を誤って着用する、といった不都合が効果的に防止される。非着色部４１の縦方向Ｘの長さについては、背側部Ｃに比して腹側部Ａを長くしても良く、その逆でも良い。
【００５６】
以下、本発明の他の実施形態について図６〜図１０を参照して説明する。後述する他の実施形態については、前述したおむつ１Ａと異なる構成部分を主として説明し、同様の構成部分は同一の符号を付して説明を省略する。特に説明しない構成部分は、おむつ１Ａについての説明が適宜適用される。
【００５７】
図６に示す実施形態においては、本体端部固定シート５はその全域が非着色の状態になっている。したがって本実施形態においては、着色された部材は、外層シート３１、内層シート３２、及び外層シート３１の折り返し部３１０における接合部３１１であり、これらの部材においては表裏の濡れ性が相違している。それによって本実施形態によれば、着用者の身体からの水蒸気の放出や、液の漏れ出しに起因して着用者の着衣が意図せず濡れることが効果的に抑制される。
【００５８】
上述のとおり、本体端部固定シート５はその全域が非着色の状態になっている。つまり本体端部固定シート５に印刷は施されていない。表面改質処理も行われていない。したがって、本体端部固定シート５は、表面改質処理及び印刷が施されたシートであって表面の濡れ性が肌対向面と非肌対向面とで異なるシートである外層シート３１及び内層シート３２よりも濡れにくい状態、即ち濡れ性が低くなっている。図２に示すとおり、本体端部固定シート５は、吸収体２３よりも肌対向面側に配されており、且つ展開状態のおむつ１Ａの平面視において、吸収体２３の周囲に配されている部材であるところ、該本体端部固定シート５が、吸収体２３よりも非肌当接面側に配されている不織布である外層シート３１及び内層シート３２よりも濡れにくくなっていることで、吸収体２３に保持された液が滲み出しにくくなり、液戻りに起因する液の漏れが効果的に抑制される。特に、本体端部固定シート５は吸収体２３の前後端部域に配されているので、該端部からの液の漏れが効果的に抑制される。更に、先に述べたとおり、吸収体２３の側部域に配されている防漏カフ２４を構成する不織布も、外層シート３１及び内層シート３２よりも濡れにくくなっているので、本実施形態によれば、吸収体２３の周縁域の全域からの液の漏れが効果的に抑制される。
【００５９】
図７に示す実施形態においては、本体端部固定シート５はその全域が非着色の状態になっている。また、外層シート３１、及び外層シート３１の折り返し部３１０における接合部３１１も、その全域が非着色の状態になっている。したがって本実施形態においては、着色された部材は、内層シート３２であり、該内層シート３２は、表面の濡れ性が肌対向面と非肌対向面とで異なるシートである。それによって本実施形態によれば、着用者の身体からの水蒸気の放出や、液の漏れ出しに起因して着用者の着衣が意図せず濡れることが効果的に抑制される。
【００６０】
図８に示す実施形態においては、内層シート３２及び本体端部固定シート５はその全域が非着色の状態になっている。したがって本実施形態においては、着色された部材は、外層シート３１、及び外層シート３１の折り返し部３１０における接合部３１１であり、これらの部材は、表面の濡れ性が肌対向面と非肌対向面とで異なるシートである。それによって本実施形態によれば、何らかの要因でおむつの外へ尿が少量漏れ出てしまった場合に、液を外層シート３１へ取り込み、衣服までの漏れを効果的に抑制することができる。
【００６１】
図９及び図１０に示すおむつ１Ｂは、いわゆる展開型の使い捨ておむつであり、図９に示すように、おむつ１Ｂの肌対向面即ち内面を形成する液透過性の表面シート１１、おむつ１Ｂの非肌対向面即ち外面を形成する液不透過性ないし撥水性の裏面シート１２、及び両シート１１，１２間に配置された吸収体１３を具備し、腹側部Ａ、股下部Ｂ及び背側部Ｃを縦方向Ｘに有し、且つ背側部Ｃの縦方向Ｘに沿う両側縁部に一対のファスニングテープ１４，１４を具備するとともに、腹側部Ａの非肌対向面に、ファスニングテープ１４止着用の被止着領域１５を具備する。また、おむつ１Ｂの縦方向Ｘに沿う両側部それぞれには、一側縁部に弾性部材１７が伸長状態で固定されているサイドシート１６が配されており、これにより、着用時における股下部Ｂには一対の立体ギャザーが形成される。また、着用者の脚周りに配される左右のレッグ部には、弾性部材１８が縦方向Ｘに沿って伸長状態で配されており、これにより、着用時におけるレッグ部には一対のレッグギャザーが形成される。
【００６２】
外装体である裏面シート１２は、図１０に示すように、吸収体４から相対的に遠い外層シート１２０と、吸収体４から相対的に近い内層シート１２１との積層体からなる。外層シート１２０は、着用者の肌から最も遠くに位置し、おむつ１Ｂの外面を形成する。内層シート１２１は、吸収体４と横方向Ｙの長さが略同じであるのに対し、外層シート１２０は内層シート１２１よりも横方向Ｙの長さが長く、内層シート１２１の非肌対向面の全域を被覆し、更に内層シート１２１の縦方向Ｘに沿う両側縁から横方向Ｙの外方に延出して、サイドシート１６と共にサイドフラップ部を形成している。外層シート１２０としては、良好な風合いを得る観点から、各種不織布を用いることができ、内層シート１２１としては、防漏性の確保の観点から、樹脂フィルムや、樹脂フィルムと不織布等とのラミネート等を用いることができる。
【００６３】
裏面シート１２、より具体的には外層シート１２０は、おむつ１Ｂの外形を形成する主体部であり、自ずと、腹側部Ａ、股下部Ｂ及び背側部Ｃそれぞれの外形を形成する主体部でもある。即ち外層シート１２０は、おむつ１Ｂの全構成部材のうちで面積が最大であり、図６に示す如き展開且つ伸長状態のおむつ１Ｂの外形を形作っており、外層シート１２０の周縁は、その状態のおむつ１Ｂの輪郭線、即ち腹側部Ａ、股下部Ｂ及び背側部Ｃそれぞれの輪郭線を形成している。
【００６４】
おむつ１Ｂにおいては、図９及び図１０に示すように、裏面シート１２の非肌対向面を形成する外層シート１２０のみが着色部４０（図中、ドットパターンが付された部分）を有し、裏面シート１２よりも着用者の肌の近くに位置してこれを被覆している表面シート１１やサイドシート１６などの他の構成部材は着色されていない。また、外層シート１２０において、着色部４０が存在するのは肌対向面１２０ａの全域であり、おむつ１Ｂの外面をなす外層シート１２０の非肌対向面１２０ｂは着色されていない。つまりおむつ１Ｂにおいては、その外形を形成する主体部である外層シート１２０の全体が、その肌対向面１２０ａの全域に存する着色部４０によって地色と異なる色を呈しており、且つその着色部４０は、表面シート１１やサイドシート１６等の他の構成部材によって被覆されていて、露出していない。したがって、外層シート１２０は、表面の濡れ性が肌対向面と非肌対向面とで異なるシートであり、着色状態になっている非肌対向面１２０ｂが、相対的に濡れ性が低くなっており、非着色状態になっている肌対向面１２０ａが、相対的に濡れ性が高くなっている。このことによって、着用者の身体からの水蒸気の放出や、液の漏れ出しに起因して着用者の着衣が意図せず濡れることが効果的に抑制される。
【００６５】
おむつ１Ｂにおいては、図９に示すように、腹側部Ａ及び背側部Ｃにおいて、着用者の肌の最も近くに位置する帯状の肌最近接シート１９が、腹側部Ａ及び背側部Ｃそれぞれの前記主体部（シート１１，１２，１６の積層体）の肌対向面を横方向Ｙに延びるように配されている。肌最近接シート１９は、平面視において横方向Ｙに長い矩形形状をなし、腹側部Ａ及び背側部Ｃそれぞれの横方向Ｙの全長にわたって連続している。肌最近接シート１９は、平面視において吸収体１３の縦方向Ｘの端部と重なっている。肌最近接シート１９の縦方向Ｘの長さ即ち幅は、好ましくは２０ｍｍ以上、更に好ましくは３０ｍｍ以上、そして、好ましくは１５０ｍｍ以下、更に好ましくは１３０ｍｍ以下である。
【００６６】
そして、腹側部Ａ及び背側部Ｃそれぞれにおける肌最近接シート１９の非肌対向面は、該非肌対向面と対向する面（即ち表面シート１１の肌対向面及びサイドシート１６の肌対向面）との接合部１９１及び非接合部１９２を有するとともに、肌最近接シート１９の地色と異なる着色部４０及び非着色部４１を有し、その非接合部１９２が、肌最近接シート１９における股下部Ｂ側に位置する端縁１９０Ｅを含む端部域に位置しており、且つ非着色部４１を含んでいる。おむつ１Ｂにおいては、非接合部１９２の平面視における全域が非着色部４１を有している。肌最近接シート１９の接合部１９１及び非接合部１９２並びに着色部４０及び非着色部４１を含む構成については、前述した折り返し部３１０における構成と同様に設定でき、肌最近接シート１９の接合部１９１及び非接合部１９２は、折り返し部３１０の接合部３１１及び非接合部３１２と同様に考えて良い。おむつ１Ｂの内面即ち肌対向面を目視した場合には、地色とは異なる色を呈する主体部即ち外層シート１２０の着色部４０を背景にして、肌最近接シート１９の端部域である地色のままの非着色部４１（非接合部１９２）が、横方向Ｙに延びているため、着色部４０とのコントラストにより目立つ存在となる。そのため非着色部４１を、おむつ１Ｂを正しい着用位置で着用するための位置決めの際の目印として使用することができる。おむつ１Ｂによってもおむつ１Ａと同様の効果が奏される。
【００６７】
また、肌最近接シート１９における接合部１９１の着色部４０は、該肌最近接シート１９の２つの面のうち、非肌当接面側にのみ着色が施されて形成されている。したがって、肌最近接シート１９は表面の濡れ性が肌対向面と非肌対向面とで異なるシートであり、接合部１９１は、着色状態になっている非肌対向面が、相対的に濡れ性が低くなっており、非着色状態になっている肌対向面が、相対的に濡れ性が高くなっている。このことによって、ウエスト域Ｄにおいて、着用者の身体からの水蒸気の放出や、液の漏れ出しに起因して着用者の着衣が意図せず濡れることが一層効果的に抑制される。
【００６８】
以上、本発明の実施形態について説明したが、本発明は前記実施形態に制限されず、適宜変更可能である。例えばおむつ１Ａにおいては、外装体３が、外層シート３１と内層シート３２との積層体から構成されていたが、これに代えて外装体３を単層のシートから構成してもよい。また、おむつ１Ａの外装体３における外層シート３１及び内層シート３２は、周縁域よりも内方の領域の全域に着色が施され、それによって表裏の濡れ性が相違していたが、これに代えて、周縁域よりも内方の領域が、着色域と非着色域とを有するように、シートのいずれかの面に着色を施してもよい。
【００６９】
また、前記の各実施形態においては、一枚の不織布の一方の面にのみ着色を施して表裏の濡れ性が相違するようにしたが、これに代えて、濡れ性の異なる２枚の不織布を積層して積層体となすことで、該積層体の表裏の濡れ性が相違するようにしてもよい。この場合、該積層体は、２枚の該不織布の濡れにくい面どうしが対向するように貼り合わされて構成されていることが、身体から発生した水蒸気や、漏れ出た液を不織布中に首尾よく取り込めるという点から有利である。
【００７０】
更に前記の各実施形態においては、不織布の表裏の濡れ性を相違させるために、該不織布の一方の面にのみ油性インクを印刷するという手段を採用したが、表裏の濡れ性を相違させるための手段はこれに限られず、例えば不織布の一方の面にのみ親水化剤を施して、該面の濡れ性を他の面よりも高めてもよい。
【００７１】
上述した実施形態に関し、本発明は更に以下の吸収性物品を開示する。
＜１＞
着用者の前後方向に対応する縦方向及びこれに直交する横方向を有するとともに、股下部並びに該股下部の前後から縦方向に延出する腹側部及び背側部に区分されており、該腹側部から該背側部にわたる吸収体と、該吸収体の非肌対向面側に配された外装体とを具備する吸収性物品であって、
前記外装体は、非肌対向面を形成する外層シートと、該外層シートの肌対向面に対向配置された内層シートとの積層体を含んで構成されており、
前記外層シートが肌対向面と非肌対向面とで表面の濡れ性が異なるシートであって、前記外層シートの濡れ性が、肌対向面よりも非肌対向面の方が高くなっているか、又は、前記内層シートが肌対向面と非肌対向面とで表面の濡れ性が異なるシートであって、前記内層シートの濡れ性が、非肌対向面よりも肌対向面の方が高くなっている吸収性物品。
【００７２】
＜２＞
前記腹側部又は前記背側部において、着用者の肌の最も近くに位置する肌最近接シートが、前記外装体の肌対向面を横方向に延びるように配されており、
前記最近接シートが肌対向面と非肌対向面とで表面の濡れ性が異なるシートであって、前記肌最近接シートの濡れ性が、非肌対向面よりも肌対向面の方が高くなっている前記＜１＞に記載の吸収性物品。
＜３＞
前記腹側部及び前記背側部において、前記外層シートは、前記内層シートの縦方向端縁から縦方向外方に延出し且つ該内層シートの肌対向面に向けて折り返されている、折り返し部を有し、前記肌最近接シートが該折り返し部からなる前記＜２＞に記載の吸収性物品。
＜４＞
前記吸収体の縦方向の端部の肌対向面を覆う本体端部固定シートを有し、該本体端部固定シートは、平面視において横方向に長い矩形形状をなし、腹側部又は背側部の横方向の全長にわたって連続しており、前記肌最近接シートが該本体端部固定シートからなる前記＜２＞に記載の吸収性物品。
＜５＞
前記肌対向面と非肌対向面とで表面の濡れ性が異なるシートは、濡れ性が低い方の面が、地色と異なる色に着色されている前記＜１＞ないし＜４＞のいずれか１に記載の吸収性物品。
＜６＞
前記着色は、前記シートを構成する不織布の原反に表面改質処理を行い、その後に該不織布の一方の面を対象として着色剤を施すことで達成される前記＜５＞に記載の吸収性物品。
【００７３】
＜７＞
前記表面改質処理として、コロナ放電処理を用いる前記＜６＞に記載の吸収性物品。
＜８＞
前記肌対向面と非肌対向面とで表面の濡れ性が異なるシートは、その周縁を含む周縁域が非着色状態になっており、該周縁域よりも内方の領域が着色されている前記＜５＞ないし＜７＞のいずれか１に記載の吸収性物品。
＜９＞
前記吸収体よりも肌対向面側に不織布からなる部材が配されており、該部材のうち、該吸収体の周囲に配されている部材を構成する不織布は、表面の濡れ性が、肌対向面と非肌対向面とで同じになっており、且つ前記肌対向面と非肌対向面とで表面の濡れ性が異なるシートの濡れ性よりも低くなっている前記＜１＞ないし＜８＞のいずれか１に記載の吸収性物品。
＜１０＞
前記吸収体の肌対向面における縦方向に沿う左右両側部に、液抵抗性又は撥水性で且つ通気性のシート材から構成された一対の防漏カフが設けられており、
前記防漏カフが、前記吸収体の周囲に配されている前記部材を構成する前記不織布である前記＜９＞に記載の吸収性物品。
＜１１＞
前記外装体は、前記外層シート及び内層シートが肌対向面と非肌対向面とで表面の濡れ性が異なるシートであって、前記外層シートの濡れ性が、肌対向面よりも非肌対向面の方が高くなっており、且つ、前記内層シートの濡れ性が、非肌対向面よりも肌対向面の方が高くなっている前記＜１＞ないし＜１０＞のいずれか１に記載の吸収性物品。
【００７４】
＜１２＞
前記外層シート及び／又は前記内層シートにおいて、濡れ性の高い面側の濡れ指数は、４０以上であることが好ましく、４１以上であることが更に好ましく、４２以上であることが一層好ましく、また、４７以下であることが好ましく、４６以下であることが更に好ましく、４５以下であることが一層好ましく、濡れ性の高い面側の濡れ指数は、４０以上４７以下であることが好ましく、４１以上４６以下であることが更に好ましく、４２以上４５以下であることが一層好ましい前記＜１＞ないし＜１１＞のいずれか１に記載の吸収性物品。
＜１３＞
前記外層シート及び／又は前記内層シートにおいて、濡れ性の低い面側の濡れ指数は、濡れ性の高い面側の濡れ指数よりも小さいことを条件として、３０以上であることが好ましく、３１以上であることが更に好ましく、３２以上であることが一層好ましく、また、３９以下であることが好ましく、濡れ性の低い面側の濡れ指数は、濡れ性の高い面側の濡れ指数よりも小さいことを条件として、３０以上３９以下であることが好ましく、３１以上３９以下であることが更に好ましく、３２以上３９以下であることが一層好ましい前記＜１＞ないし＜１２＞のいずれか１に記載の吸収性物品。
＜１４＞
前記外層シート及び／又は前記内層シートにおいて、濡れ性の高い面側の濡れ指数と、濡れ性の低い面側の濡れ指数との差は、２以上であることが好ましく、３以上であることが更に好ましく、４以上であることが一層好ましく、また、１１以下であることが好ましく、１０以下であることが更に好ましく、９以下であることが一層好ましく、前記の差は、２以上１１以下であることが好ましく、３以上１０以下であることが更に好ましく、４以上９以下であることが一層好ましい前記＜１＞ないし＜１３＞のいずれか１に記載の吸収性物品。
＜１５＞
前記腹側部又は前記背側部において、着用者の肌の最も近くに位置する肌最近接シートの非肌対向面が、該非肌対向面と対向する面との接合部及び非接合部を有するとともに、該肌最近接シートの地色と異なる着色部及び非着色部を有し、
前記非接合部が、前記肌最近接シートにおける縦方向の端縁を含む端部域に位置しており、且つ前記非着色部を含んでいる前記＜１＞ないし＜１４＞のいずれか１に記載の吸収性物品。
＜１６＞
前記接合部の平面視における全域が前記着色部となっており、
前記非接合部の平面視における全域が前記非着色部となっている前記＜１５＞に記載の吸収性物品。
【００７５】
＜１７＞
前記着色部は、前記肌最近接シートの縦方向Ｘにおける端部域に沿って、肌最近接シートの全長にわたって存在している前記＜１５＞又は＜１６＞に記載の吸収性物品。
＜１８＞
前記腹側部及び前記背側部において、前記外層シートは、前記内層シートの縦方向端縁から縦方向外方に延出し且つ該内層シートの肌対向面に向けて折り返されている、折り返し部を有し、
前記肌最近接シートが該折り返し部からなり、
前記折り返し部の縦方向の全長に占める、前記非接合部の縦方向の長さの割合は、好ましくは１０％以上、更に好ましくは２０％以上であり、好ましくは５０％以下、更に好ましくは４０％以下である、前記＜１５＞ないし＜１７＞のいずれか１に記載の吸収性物品。
＜１９＞
前記腹側部及び前記背側部において、前記外層シートは、前記内層シートの縦方向端縁から縦方向外方に延出し且つ該内層シートの肌対向面に向けて折り返されている、折り返し部を有し、
前記肌最近接シートが該折り返し部からなり、
前記折り返し部の縦方向の全長に占める、前記非着色部の縦方向の長さの割合は、好ましくは１．５％以上、更に好ましくは１０％以上であり、好ましくは６０％以下、更に好ましくは５０％以下である、前記＜１５＞ないし＜１８＞のいずれか１に記載の吸収性物品。
＜２０＞
前記腹側部及び前記背側部において、前記外層シートは、前記内層シートの縦方向端縁から縦方向外方に延出し且つ該内層シートの肌対向面に向けて折り返されている、折り返し部を有し、
前記肌最近接シートが該折り返し部からなり、
前記非接合部の縦方向の全長に占める、前記非着色部の縦方向の長さの割合は、好ましくは２０％以上、更に好ましくは３０％以上であり、好ましくは１００％以下、更に好ましくは９０％以下である、前記＜１５＞ないし＜１９＞のいずれか１に記載の吸収性物品。
＜２１＞
前記腹側部及び前記背側部において、前記外層シートは、前記内層シートの縦方向端縁から縦方向外方に延出し且つ該内層シートの肌対向面に向けて折り返されている、折り返し部を有し、
前記肌最近接シートが該折り返し部からなり、
前記腹側部の縦方向の全長に占める、前記折り返し部の縦方向の全長の割合は、好ましくは８％以上、更に好ましくは１０％以上であり、好ましくは３５％以下、更に好ましくは３０％以下である、前記＜１５＞ないし＜２０＞のいずれか１に記載の吸収性物品。
【００７６】
＜２２＞
前記腹側部及び前記背側部において、前記外層シートは、前記内層シートの縦方向端縁から縦方向外方に延出し且つ該内層シートの肌対向面に向けて折り返されている、折り返し部を有し、
前記肌最近接シートが該折り返し部からなり、
前記折り返し部の前記非着色部の縦方向の長さ、即ち幅は、好ましくは２ｍｍ以上、更に好ましくは５ｍｍ以上であり、好ましくは２０ｍｍ以下、更に好ましくは１５ｍｍ以下である、前記＜１５＞ないし＜２１＞のいずれか１に記載の吸収性物品。
＜２３＞
前記吸収性物品は、前記吸収体を具備する吸収性本体と、該吸収性本体よりも着用者の身体から遠い側に配され、前記主体部を構成する前記外装体とを備え、前記腹側部及び前記背側部それぞれにおける該外装体の縦方向に沿う両側縁部どうしが接合されて一対のサイドシール部、ウエスト開口部及び一対のレッグ開口部が形成されているパンツ型吸収性物品である、前記＜１＞ないし＜２２＞のいずれか１に記載の吸収性物品。
＜２４＞
前記外層シート及び前記内層シートは不織布から構成されている、前記＜１＞ないし＜２３＞のいずれか１に記載の吸収性物品。
【符号の説明】
【００７７】
１Ａ  パンツ型使い捨ておむつ（吸収性物品）
１Ｂ  展開型使い捨ておむつ（吸収性物品）
Ａ  腹側部
Ｂ  股下部
Ｃ  背側部
Ｄ  ウエスト域
ＡＥ，ＣＥ  ウエスト端縁
Ｆ  前身頃
Ｒ  後身頃
２  吸収性本体
２１  表面シート
２２  裏面シート
２３  吸収体
３  外装体（おむつの外形を形成する主体部）
３１  外層シート
３１ａ  外層シートの肌対向面
３１ｂ  外層シートの非肌対向面
３１０  折り返し部（肌最近接シート）
３１０ａ  折り返し部の肌対向面
３１０ｂ  折り返し部の非肌対向面
３１０Ｅ  折り返し部の端縁
３１１  接合部
３１２  非接合部
３２  内層シート
３２ａ  内層シートの肌対向面
３２ｂ  内層シートの非肌対向面
３３  レッグ弾性部材
３４  胴周り弾性部材
３５  接着剤
４０  着色部
４１  非着色部
５  本体端部固定シート（肌最近接シート）
５ａ  本体端部固定シートの肌対向面
５ｂ  本体端部固定シートの非肌対向面
１１  表面シート
１２  裏面シート
１２０  外層シート
１２１  内層シート
１３  吸収体
１９  肌最近接シート
１９１  接合部
１９２  非接合部
Ｘ  縦方向
Ｙ  横方向
【図１】
0006697327.tif 000002
【図２】
0006697327.tif 000003
【図３】
0006697327.tif 000004
【図４】
0006697327.tif 000005
【図５】
0006697327.tif 000006
【図６】
0006697327.tif 000007
【図７】
0006697327.tif 000008
【図８】
0006697327.tif 000009
【図９】
0006697327.tif 000010
【図１０】
0006697327.tif 000011